(57)【特許請求の範囲】
【請求項１】
着脱可能な可動体を有する電子機器において、
上記可動体を出し入れするための可動体用開口を有する筐体と、
上記可動体用開口の内部に設けられ、上記可動体を収容すると共に、収容した状態で該可動体が所定量以上押し込まれることで該可動体を押し出す可動体装着部と、
上記可動体用開口を密閉状に跨ぐカバー部材と、
上記カバー部材に設けられ、上記可動体用開口の周縁に形成した軸支持用孔部に挿入されて先端に形成された抜け止めにより該軸支持用孔部から抜け止めされた状態で、該カバー部材を回転可能に支持する軸部と、
上記カバー部材における上記可動体用開口を塞ぐ密閉部に対し上記軸部を挟んだ反対側に設けられた可動体押圧用突起とを備え、
上記カバー部材の密閉部が、上記可動体用開口を開いた状態となるように該カバー部材を引っ張ると共に該カバー部材を回転させて上記可動体押圧用突起を上記可動体用開口の上方に移動させ、該可動体押圧用突起を該可動体に押し付けて該可動体を取り出すように構成されている
ことを特徴とする電子機器。
【請求項２】
請求項１に記載の電子機器において、
上記可動体押圧用突起は、上記カバー部材の密閉部で上記可動体用開口を閉じたときに上記筐体に形成した突起用凹部に収容されるように構成されている
ことを特徴とする電子機器。
【請求項３】
請求項１又は２に記載の電子機器において、
上記可動体は、メモリカードであり、上記可動体装着部は、該メモリカードを収容した状態で情報を読み込むプッシュ式読取り装置である
ことを特徴とする電子機器。
【請求項４】
請求項１から３までのいずれか１つに記載の電子機器において、
上記軸支持用孔部の断面は四角形状であり、
上記軸部の断面は、根元側が四角形状で、先端側が円形状である
ことを特徴とする電子機器。
【請求項５】
請求項１から４までのいずれか１つに記載の電子機器において、
上記可動体押圧用突起の先端は、上記可動体の上端を包み込むように凹んでいる
ことを特徴とする電子機器。
【発明の詳細な説明】
【技術分野】
【０００１】
本発明は、ＳＤメモリーカード（登録商標）などの着脱可能な可動体を有する電子機器に関するものである。
【背景技術】
【０００２】
従来より、携帯電話機などの電子機器に用いられる、ＳＤカードなどのメモリカードは機種変更やデータ移管などで使用するために本体から着脱可能とする場合が多い。メモリカードは、本体に取り付けた状態で使用されることから、落下衝撃などで脱落したり、意図せずメモリカードに触れたり、ゴミや水などが侵入したりしないように、何らかのカバーが設けられることが一般的である。着脱可能なメモリカードを搭載する場合の代表的な例として、本体の四方側面の厚み方向の適切な位置に間口を設けて開閉可能なカバーで覆う方式と、本体背面を覆うカバー又は電池収納部の中にメモリカードを納める方式がある。近年、本体背面のカバーが外れない構造を取る場合が多いことから、前者の方式が多く採用されている。
【０００３】
この場合、メモリカードは挿入用のトレイにメモリカードを載せて本体内部の基板に実装されたカードスロットに挿入するものや、同じく実装されるスロットにメモリカードをプッシュして押し込み、取り出す際は再度メモリカードをプッシュして取り出す方式が一般的となっている。
【０００４】
携帯端末は、ますます小型化が進み、メモリカード自体も小型化されてきているＳＤカードで例を挙げると、ＳＤカード、ミニＳＤカード、マイクロＳＤカードと段階的にメモリカード自体が小さくなっている。また、電子機器本体の厚みについても薄型化が進むにつれて必然的にメモリカード着脱のための間口も小さくなってきている。メモリカード自体や着脱するための間口が小さくなるとメモリカードの着脱は非常に困難になる。従来のメモリカード着脱は指や指の爪を使って行うが、指先や爪の有無などは人それぞれ異なり、メモリカードをプッシュして抜きだす方式では、特にメモリカードをプッシュする操作が難しく、製品メーカーが治具を設けていたり、ユーザーが手近にあるペン先、コイン、クリップなどを使ったりしている。さらに最近では防水機能を持つ携帯端末も増加してきていることからメモリカードの取り出しは、ますます困難になってきている。さらに防水機能がある場合にメモリカードが取り出し難くなる理由は大きく２つある。１つはカバーに防水用のパッキンやＯリングを取り付けるためにカバーの厚みが厚くなり、その分メモリカードが奥まってしまうためと、防水のパッキンをキャビネットに当てる必要があり、間口のサイズが小さくなってしまうためである。
【０００５】
そこで、例えば、特許文献１のように、柔軟性のあるカバーの裏面にメモリカードを押し込むことのできる押し子を設け、メモリカードの押込操作を容易にしている。
【先行技術文献】
【特許文献】
【０００６】
【特許文献１】特開２００６−１１９８８１号公報
【発明の概要】
【発明が解決しようとする課題】
【０００７】
しかしながら、特許文献１のものでは、筐体を握った際などに意図せず押し子を押してしまうおそれがある。また、押し込みやすさのために、カバー自体を柔軟性のある材料で構成しているので、防水機能が低下するおそれがある。
【０００８】
また、メモリカードを挿入するカードスロット自体につまみを設け、つまみを操作することでメモリカードを取り出す方法も考えられるが、カードスロットのコストアップや部品の大型化が避けられない。
【０００９】
本発明は、かかる点に鑑みてなされたものであり、その目的とするところは、可動体用開口をできるだけ小さくしながらも治具を用いることなく容易かつ確実に可動体の出し入れを行えるようにすることにある。
【課題を解決するための手段】
【００１０】
上記の目的を達成するために、この発明では、カバー部材の適切な位置に可動体押圧用突起を設けた。
【００１１】
具体的には、本発明では、着脱可能な可動体を有する電子機器において、
上記可動体を出し入れするための可動体用開口を有する筐体と、
上記可動体用開口の内部に設けられ、上記可動体を収容すると共に、収容した状態で該可動体が所定量以上押し込まれることで該可動体を押し出す可動体装着部と、
上記可動体用開口を密閉状に跨ぐカバー部材と、
上記カバー部材に設けられ、上記可動体用開口の周縁に形成した軸支持用孔部に挿入されて先端に形成された抜け止めにより該軸支持用孔部から抜け止めされた状態で、該カバー部材を回転可能に支持する軸部と、
上記カバー部材における上記可動体用開口を塞ぐ密閉部に対し上記軸部を挟んだ反対側に設けられた可動体押圧用突起とを備え、
上記カバー部材の密閉部が、上記可動体用開口を開いた状態となるように該カバー部材を引っ張ると共に該カバー部材を回転させて上記可動体押圧用突起を上記可動体用開口の上方に移動させ、該可動体押圧用突起を該可動体に押し付けて該可動体を取り出すように構成されている。
【００１２】
上記の構成によると、カバー部材に設けた可動体押圧用突起により、狭い可動体用開口でも、特別な治具を使用せずに容易に可動体を取り出すことが可能となる。また、従来に比べてカバー部材の大きさをほとんど変えることなく、可動体押圧用突起を設けることができると共に、部品の増加がなく、複雑な構造も不要なことから防水構造を阻害することもない。さらに、従来では、取り出し性を考慮して可動体用開口の大きさを最小化することは難しかったが、本発明により、可動体用開口を最小化することができるので、電子機器の持ちやすさやデザイン性の向上も可能となる。
【発明の効果】
【００１３】
以上説明したように、本発明によれば、カバー部材の密閉部が可動体用開口を開いた状態となるようにカバー部材を引っ張ると共にカバー部材を回転させて可動体押圧用突起を可動体用開口の上方に移動させた後、可動体押圧用突起を可動体に押し付けて可動体を取り出すようにしたことにより、可動体用開口をできるだけ小さくしながらも治具を用いることなく容易かつ確実に可動体の出し入れを行うことができる。
【図面の簡単な説明】
【００１４】
【図１】携帯電話機の上端側を拡大して一部破断して背面から見た概要図であり、（ａ）がカバー部材の収容時を示し、（ｂ）がカバー部材を引き出した状態を示し、（ｃ）がカバー部材を回転させた後、ＳＤカードを押し込む様子を示す。
【図２】携帯電話機を背面側から見た斜視図である。
【図３】携帯電話機を示す分解斜視図である。
【図４】図１（ｃ）のIV−IV線拡大断面図である。
【図５】カバー部材を拡大して示す斜視図である。
【図６】軸支持用孔部及び軸部を示す断面図であり、（ａ）がカバー部材を引き出したときを示し、（ｂ）がＳＤカードを押し込むときの状態を示す。
【図７】カバー部材の変形例を示す図４相当図であり、（ａ）が実施形態２を示し、（ｂ）が実施形態３を示す。
【図８】図６（ａ）に対応する、軸部の断面形状の変形例を示し、（ａ）が実施形態４を示し、（ｂ）が実施形態５を示す。
【発明を実施するための形態】
【００１５】
以下、本発明の実施形態を図面に基づいて説明する。
【００１６】
図１〜図４は、本発明の実施形態１の電子機器としての携帯電話機１を示し、この携帯電話機１は、例えば液晶表示部２が正面側に収容される筐体としての正面側キャビネット３と、その背面側を覆う背面側キャビネット４と、その背面を覆うリアカバー５とを備えている。正面側キャビネット３と背面側キャビネット４との間には、充電池６とメイン基板７とが収容されている。メイン基板７の上方にサブ基板８が設けられ、そのサブ基板８には、可動体装着部（プッシュ式読取り装置）としてのメモリーカードスロット９が設けられている。可動体としてのＳＤカード１０は、このメモリーカードスロット９に着脱可能となっている。メモリーカードスロット９は、ＳＤカード１０を収容したときに読み書き可能であると共に、収容した状態のＳＤカード１０が一定量だけさらに押し込まれると、ロックが解除され、図示しないバネでＳＤカード１０を押し出すように構成されている。
【００１７】
図２に示すように、正面側キャビネット３の上記ＳＤカード１０を出し入れするためのカード用開口１１が形成されている。カード用開口１１は、図５に示すカバー部材１２の密閉部１２ａで密閉状に覆われている。カード用開口１１は、この密閉部１２ａと同様の長円形状をしている。カバー部材１２は、図１（ａ）及び図２に示すように、カード用開口１１の周縁の周囲よりも凹んだカバー用凹部３ａに嵌め込まれることで、外表面が周囲と同じ高さとなっている。
【００１８】
カバー部材１２には、カード用開口１１の周縁に形成した軸支持用孔部１４に挿入される棒状の、軸部１３が設けられている。本実施形態では、軸支持用孔部１４の断面は、正方形、長方形などの四角形状である。軸部１３は、その先端に形成された抜け止め１３ａにより軸支持用孔部１４から抜け止めされている。
【００１９】
カバー部材１２における密閉部１２ａに対して軸部１３を挟んだ反対側（図１における右側）には、例えば断面矩形状の棒状の、可動体押圧用突起としてのカード押圧用突起１５が一体に形成されている。カバー部材１２には、カード押圧用突起１５に対し軸部１３を挟んだ反対側（図１における左側）にカバー用凹部３ａに設けた被係止部（図示せず）に引っ掛かる係止爪１６が形成されている。図１（ａ）に示すように、カード押圧用突起１５は、カバー部材１２の密閉部１２ａでカード用開口１１を閉じたときに正面側キャビネット３に形成した突起用凹部１７に収容されるようになっている。
【００２０】
軸部１３の断面は、例えば図５に示すように、根元側１３ｂが正方形、長方形などの四角形状で、先端側１３ｃが円形、楕円形などの円形状となっている。そして、カバー部材１２の密閉部１２ａが、カード用開口１１を開いた状態となるようにカバー部材１２を引っ張ると共に、カバー部材１２を回転させてカード押圧用突起１５をカード用開口１１の上方に移動させた後、カード押圧用突起１５をＳＤカード１０に押し付けてＳＤカード１０を取り出し可能に構成されている。カード押圧用突起１５の長さＬ（図４に示す）は、ＳＤカード１０を押圧したときに、メモリーカードスロット９のロック解除が可能な長さとしている。
【００２１】
本実施形態では、図１（ｂ）に示すように、カバー部材１２を引き出したときには、図６（ａ）に示すように、断面円形状の先端側１３ｃは、四角形状の軸支持用孔部１４内を自由に回転できることから、カバー部材１２を回転させることができる。
【００２２】
図１（ｃ）に示すように、カバー部材１２を１８０°回転させた後、少し下方へカバー部材１２を押し込むと、図６（ｂ）に示すように、断面四角形状の根元側１３ｂが軸支持用孔部１４の部分にくるので、先端側１３ｃのときのようには軸部１３を回転できなくなるようになっている。この回転できずに安定した状態で、カード押圧用突起１５がＳＤカード１０の真上にくる。
【００２３】
その状態で、さらに、カバー部材１２を図１（ｃ）の矢印の方向へ押し込むと、カード押圧用突起１５がＳＤカード１０をメモリーカードスロット９内に押し込む。
【００２４】
そして、ＳＤカード１０は、所定ストローク以上押し込まれると、メモリーカードスロット９から飛び出る。
【００２５】
このように、カバー部材１２を引っ張り出したときには、断面円形状の部分は軸支持用孔部１４内で自由に回転できるので、カバー部材１２を回転させやすい。カバー部材１２を少し押し込んだときには、軸部１３の断面四角形状の部分を軸支持用孔部１４に嵌め込んで回転止めさせることで、ＳＤカード１０を押圧しやすくなる。すなわち、軸部１３の断面形状を軸方向に沿って変えることで、カバー部材１２の回転及び押圧操作が容易となっている。
【００２６】
本実施形態では、カバー部材１２に設けたカード押圧用突起１５により、狭いカード用開口１１でも、特別な治具を使用せずに容易にＳＤカード１０を取り出すことが可能となる。また、従来に比べてカバー部材１２の大きさを変えることなく、カード押圧用突起１５を設けることができると共に、部品の増加がなく、複雑な構造も不要なことから防水構造を阻害することもない。さらに、従来では、取り出し性を考慮してカード用開口１１の大きさを最小化することは難しかったが、本発明により、カード用開口１１を最小化することができるので、携帯電話機１の持ちやすさやデザイン性の向上も可能となる。
【００２７】
本実施形態では、カード用開口１１をできるだけ小さくしながら、確実かつ容易にＳＤカード１０の出し入れを行うことができる。
【００２８】
したがって、本実施形態では、カード用開口１１をできるだけ小さくしながらも治具を用いることなく容易かつ確実にＳＤカード１０の出し入れを行うことができる。
【００２９】
（その他の実施形態）
本発明は、上記実施形態について、以下のような構成としてもよい。
【００３０】
すなわち、図７（ａ）に示す実施形態２のように、カード押圧用突起１５’の先端１５’ａをＳＤカード１０の上端を包み込むように凹ませてもよい。こうすれば、先端１５’ａが凹んだカード押圧用突起１５’でＳＤカード１０を確実に押圧できる。
【００３１】
また、図７（ｂ）に示す実施形態３のように、カード押圧用突起１５’’の先端１５’’ａをＳＤカード１０の上端を包み込むような嵌め込み形状としてもよい。こうすれば、さらに確実にＳＤカード１０を押し込むことができる。
【００３２】
さらに、図８（ａ）に示すように、軸部１３’’’の断面形状を軸方向に変化させるのではなく、例えば全体的に正方形状としてもよい。この場合、軸支持用孔部１４と軸部１３’’’外周との隙間ｃは、図６（ｂ）の場合よりも広くするとよい。こうすれば、カバー部材１２を節度を持って９０°ごと回転させることができる。
【００３３】
また、図８（ｂ）に示すように、軸部１３''''の断面形状を軸方向に変化させるのではなく、例えば全体的に木の葉形状としてもよい。こうすれば、１８０°ごとに節度を持ってカバー部材１２を回転させることができる。９０°での固定が必要ない場合に有利である。
【００３４】
上記実施形態では、電子機器は、携帯電話機１としたが、タブレット端末、ＰＨＳ（Personal Handy-phone System ）、ＰＤＡ(Personal Digital Assistant)、パソコン、モバイルツール、電子辞書、電卓、ゲーム機等であってもよく、小型の液晶ディスプレイ、液晶テレビ、ブルーレイディスクレコーダ、ＤＶＤレコーダ等であってもよい。
【００３５】
上記各実施形態では、可動体としてＳＤカードの例を示したが、例えば、表示プレート、ＳＩＭカード、着脱式のカバー等とすることもできる。
【００３６】
なお、以上の実施形態は、本質的に好ましい例示であって、本発明、その適用物や用途の範囲を制限することを意図するものではない。また、各実施形態に記載された技術的特徴は、互いに組合せ可能であり、組み合わせることにより、新しい技術的特徴を形成することができる。
【符号の説明】
【００３７】
１      携帯電話機（電子機器）
２      液晶表示部
３      正面側キャビネット
３ａ    カバー用凹部
４      背面側キャビネット
５      リアカバー
６      充電池
７      メイン基板
８      サブ基板
９      メモリーカードスロット（可動体装着部、プッシュ式読取り装置）
１０      ＳＤカード
１１      カード用開口（可動体用開口）
１２      カバー部材
１２ａ    密閉部
１３，１３’’’，１３''''      軸部
１３ｂ    根元側
１３ｃ    先端側
１４      軸支持用孔部
１５，１５’，１５’’    カード押圧用突起（可動体押圧用突起）
１５’ａ，１５’’ａ    先端
１６      係止爪
１７      突起用凹部
【図１】
0006335042.tif 000002
【図２】
0006335042.tif 000003
【図３】
0006335042.tif 000004
【図４】
0006335042.tif 000005
【図５】
0006335042.tif 000006
【図６】
0006335042.tif 000007
【図７】
0006335042.tif 000008
【図８】
0006335042.tif 000009